(57)【特許請求の範囲】
【請求項１】
通信相手の装置との間の通信について使用する通信リソース領域を割り当てる通信装置において、
通信相手の装置との間の通信における通信対象となるデータを小容量ＲＴＤと大容量ＲＴＤとｎＲＴＤに分類して分配するデータ分配手段と、
小容量ＲＴＤに通信リソース領域を割り当てる第１のスケジューラであって、当該割り当て処理以前に通信リソース領域を割り当てたことのある通信相手の装置に対して通信リソース領域を割り当てる場合には、以前に割り当てた通信リソース領域を小容量ＲＴＤに割り当てる第１のスケジューラと、
大容量ＲＴＤ及びｎＲＴＤに通信リソース領域を割り当てる第２のスケジューラであって、第１のスケジューラにより通信リソース領域の割り当てが完了すると、大容量ＲＴＤに、ｎＲＴＤよりも優先的に通信リソース領域を割り当てる第２のスケジューラと、
第１のスケジューラ及び第２のスケジューラによる割り当て結果に基づいて通信相手の装置との間の通信を行う通信手段と、を備え、
第１のスケジューラは、初めて通信リソース領域を割り当てる通信相手の装置に対して通信リソース領域を割り当てる場合には、他の小容量ＲＴＤが割り当てられておらず且つ通信品質が高い通信リソース領域を小容量ＲＴＤに割り当てる、
ことを特徴とする通信装置。
【発明の詳細な説明】
【技術分野】
【０００１】
本発明は、通信相手に対してスケジューリング（通信リソース領域の割り当て）を行う通信装置に関し、特に、良好なスケジューリングを行う通信装置に関する。
【背景技術】
【０００２】
例えば、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を使用して、無線基地局装置（ＢＴＳ）と端末装置との間で無線通信を行う無線通信システムが実施されている。
無線基地局装置から端末装置への下りリンクにおいて、ＯＦＤＭＡ（ＯＦＤＭ  Ａｃｃｅｓｓ）を用いた場合、無線基地局装置は、周波数軸上において無線品質が良好な周波数領域に送信データをスケジューリングすることにより、スループットを向上することができる。
【０００３】
通信されるデータとしては、例えば、リアルタイムデータ（ＲＴＤ）や、非リアルタイムデータ（ｎＲＴＤ）がある。また、リアルタイムデータとしては、小容量のデータや、大容量のデータがある。
具体例としては、リアルタイム性がある小容量のリアルタイムデータとしてはＶｏＩＰ（Ｖｏｉｃｅ  ｏｖｅｒ  ＩＰ）のようなデータがあり、リアルタイム性がある大容量のデータとしてはストリーミングデータのようなデータがある。また、リアルタイム性がない非リアルタイムデータとしては、ダウンロードするファイルデータのようなデータがあり、例えば、画像ファイルなどのデータは大容量のデータである。
【０００４】
【特許文献１】特開２００３−２５９４４７号公報
【非特許文献１】３ＧＰＰ  ＴＳ  ３６．２１１  Ｖ１．１．０  （２００７−０５）
【発明の開示】
【発明が解決しようとする課題】
【０００５】
しかしながら、上述のようなスケジューリングにおいては、次のような問題があった。
例えば、スループットを向上させるために無線品質が良好な端末装置（ユーザ）について優先的にスケジューリングするときに、ＲＴＤとｎＲＴＤを混在すると、ｎＲＴＤがＲＴＤより良好な無線品質である場合には、ｎＲＴＤが優先してスケジューリングされるため、ＲＴＤに帯域が割り当てられない可能性が発生し、ＲＴＤのリアルタイム性が損なわれることがあった。
【０００６】
また、大容量のＲＴＤが小容量のＲＴＤより良好な無線品質である場合には、大容量のＲＴＤが優先してスケジューリングされるため、小容量のＲＴＤに帯域が割り当てられない可能性が発生し、小容量のＲＴＤをアクセスしている多くのユーザのリアルタイム性が損なわれることがあった。
逆に、小容量のＲＴＤが大容量のＲＴＤより良好な無線品質である場合には、頻繁にスケジューリングされてしまうと、送信したいデータが少ないにもかかわらず、付随する制御情報も送信されてしまうことから、その制御情報のオーバヘッドが増加して、上りリンク（或いは、下りリンク）の使用効率が低下することがあった。
【０００７】
なお、無線基地局装置から端末装置への下りリンクの制御情報では、例えば、通信リソース領域（例えば、リソースブロックなど）の割り当て情報を通知し、端末装置から無線基地局装置への上りリンクの制御情報では、例えば、通信リソース領域（例えば、リソースブロックなど）の解放情報を通知する。
【０００８】
本発明は、上記のような従来の事情に鑑み為されたもので、通信相手に対してスケジューリング（通信リソース領域の割り当て）を行うに際して、良好なスケジューリングを行うことができる通信装置を提供することを目的とする。
【課題を解決するための手段】
【０００９】
上記目的を達成するため、本発明では、通信相手の装置との間の通信について使用する通信リソース領域を割り当てる通信装置において、次のような構成とした。
すなわち、データ分類手段が、通信相手の装置との間の通信における通信対象となるデータを小容量ＲＴＤと大容量ＲＴＤとｎＲＴＤに分類する。スケジューリング手段が、前記データ分類手段による分類結果に基づいて、ＲＴＤをｎＲＴＤよりも優先させる第１の条件と、小容量ＲＴＤを大容量ＲＴＤよりも優先させる第２の条件と、小容量ＲＴＤについては以前に使用していた通信リソース領域を割り当てることが可能であればその通信リソース領域を割り当てる第３の条件と、大容量ＲＴＤとｎＲＴＤについては通信品質が良好な通信相手の装置を優先させる第４の条件を用いて、通信相手の装置との間の通信について使用する通信リソース領域を割り当てる。通信手段が、前記スケジューリング手段によるスケジューリング結果に基づいて、通信相手の装置との間の通信を行う。
【００１０】
従って、通信相手に対してスケジューリング（通信リソース領域の割り当て）を行うに際して、良好なスケジューリングを行うことができる。具体的には、例えば、ＲＴＤをｎＲＴＤよりも優先させることによりＲＴＤのリアルタイム性を確保することができ、小容量ＲＴＤを大容量ＲＴＤよりも優先させることにより小容量ＲＴＤにアクセスする装置（ユーザ）におけるリアルタイム性を確保することができ、小容量ＲＴＤについてはなるべく以前に使用していたものと同じ通信リソース領域を割り当てる（つまり、通信リソース領域を固定する）ことにより通信リソース領域を通知するための制御情報の通信を不要として帯域の使用効率を向上させることができ、大容量ＲＴＤとｎＲＴＤについて通信品質が良好な通信相手の装置を優先させることによりスループットを向上させることが可能である。
【００１１】
ここで、通信装置としては、種々なものに適用されてもよく、例えば、無線基地局装置や無線端末装置のように各種の無線通信システムの通信装置に適用することが可能であり、放送用の通信装置などに適用することも可能である。
また、通信装置としては、好ましい態様例として、ＯＦＤＭ方式を用いてデータを通信（送信や受信）する装置に適用することが可能である。
また、通信としては、例えば、無線通信が用いられるが、有線通信に適用することも可能である。
また、通信相手の装置としては、種々な装置が用いられてもよい。また、通信相手の装置の数としては、例えば、複数となるが、通信状況などに応じて、１又は０であるようなときがあってもよい。
【００１２】
また、通信装置によりスケジューリング（通信リソース領域の割り当て）を行う対象となる通信としては、例えば、通信装置から通信相手の装置への方向の通信に適用されてもよく、或いは、通信相手の装置から通信装置への方向の通信に適用されてもよく、或いは、これら両方の方向の通信に適用されてもよい。
通信装置から通信相手の装置への方向の通信については、当該通信装置において通信対象（送信対象）となるデータの状況（例えば、データの種類や数など）を把握することができ、また、通信相手の装置から通信装置への方向の通信については、例えば、通信相手の装置から通信装置へ通信（送信）を希望するデータの状況（例えば、データの種類や数など）を通知することにより、当該通信装置において通信対象（受信対象）となるデータの状況を把握することができる。
【００１３】
また、通信リソース領域としては、種々なものが用いられてもよく、例えば、周波数方向の範囲を用いて区分される領域、又は、周波数方向の範囲と時間方向の範囲を用いて区分される領域を用いることができる。このような通信リソース領域を、割り当ての単位として用いることができる。
また、周波数方向の範囲としては、例えば、ＯＦＤＭ方式などにおける複数のサブキャリアの中の一部又は全部を特定する範囲を用いることができる。
また、時間方向の範囲としては、例えば、ＯＦＤＭ方式などにおける複数のシンボルの中の一部又は全部を特定する範囲を用いることができる。なお、複数のシンボルの数としては、例えば、１スロットに含まれるシンボルの数を用いることができる。
【００１４】
また、通信リソース領域としては、例えば、ＯＦＤＭ方式において、リソースブロックの領域や、或いは、１個以上の所定数のリソースエレメントの領域などを用いることができる。
通信リソース領域は、例えば、時間方向の範囲が区切られない場合には、周波数方向の範囲のみを用いて区分されてもよく、或いは、周波数方向の範囲を用いて区分されるとともに、時間方向の範囲を用いて区分されてもよい。
【００１５】
また、通信相手の装置に対して割り当てる通信リソース領域の数としては、種々な数が用いられてもよく、例えば、１つ以上の数が用いられるが、通信状況などに応じて０であるときが発生してもよい。また、通信相手の装置に対して割り当てる通信リソース領域の数としては、例えば、通信状況などに応じて、可変に制御されてもよい。
【００１６】
また、データを小容量ＲＴＤ、大容量ＲＴＤ、ｎＲＴＤに分類する手法としては、種々なものが用いられてもよく、例えば、予め分類の仕方が規定されていて通信装置のメモリなどに設定されて記憶されている態様を用いることができる。一例として、通信における各サービス毎に小容量ＲＴＤ、大容量ＲＴＤ、ｎＲＴＤの種類が予め決められており、通信対象となるデータが属するサービスの種類に応じて、それに対応するデータの種類（小容量ＲＴＤ、大容量ＲＴＤ、ｎＲＴＤのいずれか）を特定するような分類の手法を用いることができる。
【００１７】
また、小容量ＲＴＤについては以前に使用していた通信リソース領域を割り当てることが可能であればその通信リソース領域を割り当てる手法としては、種々なものが用いられてもよく、例えば、通信相手毎に、又は、通信相手毎及び通信の方向毎に、小容量ＲＴＤの通信を行うために使用する通信リソース領域を固定的に設定するような態様や、或いは、原則として小容量ＲＴＤの通信については前回使用したものと同じ通信リソース領域をそのまま使用するようにするが、通信状況などの変化に応じて、その通信リソース領域の割り当てを変更するときもあるような態様などを用いることができる。なお、ある通信相手の装置との間の通信（２つの方向で異なる通信リソース領域を使用する場合には、ある通信相手の装置との間のある方向の通信）で、初めて小容量ＲＴＤを通信する機会が生じた場合には、例えば、空いている通信リソース領域の中からその通信に適したものを選択して割り当てる。
【００１８】
また、通信品質に関する情報としては、種々な情報が用いられてもよく、例えば、パイロット信号に基づく受信電力の情報として、パイロット信号のＣＱＩ（Ｃｈａｎｎｅｌ  Ｑｕａｌｉｔｙ  Ｉｎｄｉｃａｔｏｒ）の情報を用いることができる。一般に、パイロット信号の振幅や位相は、基準値が用いられ、送信側と受信側とで把握されている。
【００１９】
また、スケジューリング（通信リソース領域の割り当て）を行う手法としては、種々なものが用いられてもよい。
また、複数の通信相手の装置が存在する場合には、スケジューリング（通信リソース領域の割り当て）は、例えば、複数の通信相手の装置から受信された通信品質に関する情報などに基づいて、複数の通信相手の装置について考慮して行われ、一般的に、概略的には、それぞれの通信リソース領域を通信品質が良好となる通信相手の装置に割り当てて、全体として、通信品質を良好とするようなスケジューリングを行うことが好ましい。
【発明の効果】
【００２０】
以上説明したように、本発明に係る通信装置によると、通信対象となるデータとして小容量ＲＴＤや大容量ＲＴＤやｎＲＴＤが存在するような場合に、通信相手に対してスケジューリング（通信リソース領域の割り当て）を行うに際して、良好なスケジューリングを行うことができる。
【発明を実施するための最良の形態】
【００２１】
本発明に係る実施例を図面を参照して説明する。
まず、リソースブロック（ＲＢ）や、スケジューリングや、無線品質（本例では、ＣＱＩ）について、説明する。
図５には、ＯＦＤＭ方式における下りリンクのリソースグリッドの一例を示してある（非特許文献１参照。）。なお、上りリンクのリソースグリッドについても、下りリンクと同様なものを用いることが可能である。
１つの下りスロットでは、時間方向（図５において横軸）にＮＤＬｓｙｍｂ個のＯＦＤＭシンボルがあり、周波数方向（図５において縦軸）にＮＤＬＢＷ個のサブキャリアがある。１個のＯＦＤＭシンボル及び１個のサブキャリアにより特定される領域がリソースエレメントとなる。
また、ＯＦＤＭシンボル方向に連続したＮＤＬｓｙｍｂ個のリソースエレメントとサブキャリア方向に連続したＮＲＢＢＷ個のリソースエレメントで囲まれる（ＮＤＬｓｙｍｂ×ＮＲＢＢＷ）個のリソースエレメントの集合領域がリソースブロックとなる。
【００２２】
図５に示されるのと同様な構成を有する下りスロットが、例えば、連続的に複数並べられて通信される。
この場合、下りスロットに設定された各リソースブロックや各リソースエレメントは、変更がなければ、下りスロットの周期毎に、同一のものが出現することとなる。
【００２３】
無線基地局装置（ＢＴＳ）は、例えば、複数の端末装置（ユーザ）との間で、ＯＦＤＭ方式により無線通信を行う。
無線基地局装置により行われるスケジューリングでは、一例として、各端末装置に対する各チャネルについて、そのチャネルの無線通信で使用するリソースブロックを割り当てる。
【００２４】
一例として、共通制御チャネルやデータチャネルなどにリソースブロックを割り当て、パイロット信号の通信状況に基づいて端末装置が無線品質（ＣＱＩ）を検出し、この検出結果に基づいて無線基地局装置がデータチャネルなどのスケジューリングを行う。
ここで、例えば、共通制御チャネルでは全てのＯＦＤＭシンボル及び全てのサブキャリアにパイロット信号が割り当てられ、また、データチャネルでは、基本的にはデータ信号が割り当てられるが、ＯＦＤＭシンボル及びサブキャリアの一部の位置にパイロット信号が割り当てられる。
【００２５】
また、スケジューリングの具体的な手法としては、種々な手法が用いられてもよく、例えば、無線基地局装置と複数の端末装置との間での無線通信が全体として良好になるような態様で行われる。一例として、ある端末装置に対するあるリソースブロックの無線品質（ＣＱＩ）が良好である場合には、そのリソースブロックをそのまま継続して使用し、また、ある端末装置に対するあるリソースブロックの無線品質（ＣＱＩ）が劣化した場合には、そのリソースブロックについては他の端末装置へ割り当てるために確保して、前記ある端末装置には無線品質（ＣＱＩ）が良好となる他のリソースブロックを割り当てるような手法を用いることができる。
【００２６】
また、ここでは、リソースブロックやスケジューリングについて幾つかの例を示したが、他の様々な態様が用いられてもよい。
例えば、１つの端末装置の１つのチャネルに１つのリソースブロックを割り当てる態様ではなく、１つのリソースブロックを複数の端末装置（複数のチャネル）に割り当てるような態様や、１個又は任意の複数個のリソースエレメントを単位として割り当てを行うような態様などを用いることも可能である。
また、スケジューリングは、例えば、無線基地局装置から端末装置への送信データについて行われるが、端末装置から無線基地局装置への送信データについて同様なスケジューリングを行うことも可能である。
【００２７】
本例では、無線品質を表す情報として、ＣＱＩの情報を用いる。ＣＱＩは、受信信号の電力（パワー）の値を表し、大きい方が無線品質が良い。
例えば、リソースブロックを単位として割り当てが行われる場合には、１つのリソースブロックに含まれるパイロット信号の電力の値がＣＱＩとして検出され、また、１つのリソースブロックに複数のパイロット信号が含まれる場合には、これら複数のパイロット信号の電力の平均値がＣＱＩとして検出されてもよい。
【００２８】
ＣＱＩは、例えば、離散的なデジタル値であり、一例として、１〜３０の値をとる。この場合、１が下限値となり、３０が上限値となる。このようなＣＱＩの態様は、例えば、各システムで任意に設定されてもよい。
本例では、データ信号についてはＣＱＩの検出には使用されず、受信側では、受信したデータ信号に誤りがあった場合には、送信側へ再送要求を発することや、或いは、送信側からの送信電力を上げるための要求を行う。
【００２９】
無線基地局装置において行われるスケジューリングでは、複数の端末装置から報告された複数の領域（例えば、リソースブロック）のＣＱＩを考慮して、各端末装置に対する無線通信に使用する領域（例えば、リソースブロック）の割り当てを行う。一般に、ある周波数領域については、ある端末装置の通信特性（例えば、周波数特性）と他の端末装置の通信特性（例えば、周波数特性）とは異なり得るため、良好な特性となる端末装置にその周波数領域を割り当てる方が良い。
【００３０】
次に、本実施例に係る無線基地局装置を説明する。
図１には、本例の無線基地局装置の構成例を示してある。
本例の無線基地局装置は、ＲＬＣ（Ｒａｄｉｏ  Ｌｉｎｋ  Ｃｏｎｔｒｏｌ）部１と、ＭＡＣ（Ｍｅｄｉａ  Ａｃｃｅｓｓ  Ｃｏｎｔｒｏｌ）部２と、ベースバンド信号を処理するＢＢ（ＢａｓｅＢａｎｄ）部３を備えている。
ＭＡＣ部２には、下りデータ分配部１１と、上りデータ分配部１２と、第１のスケジューラ１３と、第２のスケジューラ１４を備えている。
ＢＢ部３には、送信信号処理機能部（Ｔｘ＿ＳＰ）２１と、受信信号処理機能部（Ｒｘ＿ＳＰ）２２を備えている。
【００３１】
本例では、通信のサービスとして、ＶｏＩＰなどの小容量のリアルタイムデータ（小容量ＲＴＤ）を通信するサービスと、画像のストリーミングデータなどの大容量のリアルタイムデータ（大容量ＲＴＤ）を通信するサービスと、画像ファイルなどの非リアルタイムデータ（ｎＲＴＤ）を通信するサービスがある。
本例では、通信対象となるデータの種類（ＶｏＩＰ、ストリーミングデータ、画像ファイルなどの種類）と、サービスの種類（小容量のＲＴＤ、大容量のＲＴＤ、ｎＲＴＤの種類）との対応が予め無線基地局装置のメモリに設定されて記憶されている。
【００３２】
本例の無線基地局装置において行われる動作の一例を示す。
無線基地局装置から端末装置（ユーザ）への下りリンクにおける無線パケット通信について説明する。
ＲＬＣ部１は、端末装置に対する送信対象となるパケットデータ（送信パケットデータ）を下りデータ分配部１１へ送信する。
下りデータ分配部１１は、ＲＬＣ部１から受信された送信パケットデータをサービス毎に分類し、本例では、小容量ＲＴＤ、大容量ＲＴＤ、ｎＲＴＤの３種類に分配する。そして、下りデータ分配部１１は、小容量ＲＴＤの送信パケットデータについては第１のスケジューラ（小容量ＲＴＤのスケジューラ）１３へ出力し、大容量ＲＴＤ及びｎＲＴＤの送信パケットデータについては第２のスケジューラ（大容量ＲＴＤ及びｎＲＴＤのスケジューラ）１４へ出力する。
【００３３】
本例では、第１のスケジューラ１３及び第２のスケジューラ１４において、小容量ＲＴＤ、大容量ＲＴＤ、ｎＲＴＤの順に優先的にスケジューリングを行う。
具体的には、まず、第１のスケジューラ１３は、小容量ＲＴＤについて、下りデータ分配部１１からのスケジューリング対象となるデータがある場合、又は、ＨＡＲＱ（Ｈｙｂｒｉｄ  Ａｕｔｏｍａｔｉｃ  Ｒｅｐｅａｔ  Ｒｅｑｕｅｓｔ）によりＮＡＣＫが通信相手となる端末装置から送信されて再送する対象となるデータがある場合に、スケジューリングを行う。
ここで、本例では、上りデータ分配部１２から第１のスケジューラ１３や第２のスケジューラ１４へ、通信相手からのＣＱＩ（下り通信）の情報や、通信相手からのＡＣＫ／ＮＡＣＫ（下り通信）の情報が通知される。
【００３４】
第１のスケジューラ１３は、通信相手となる端末装置に対して初めてスケジューリングを行う場合には、周波数軸上の周波数領域において、他の小容量ＲＴＤがスケジューリングされていなく且つ最高のＣＱＩとなる周波数領域（本例では、図５に示されるリソースブロック）をスケジューリングし、小容量ＲＴＤと変調方式とリソース情報を決定して、小容量ＲＴＤ、変調方式の情報、リソース情報を送信信号処理機能部２１に送信して設定する。
【００３５】
ここで、変調方式（及び、復調方式）としては、種々な方式が用いられてもよく、例えば、ＱＰＳＫ（Ｑｕａｄｒａｔｕｒｅ  Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）などの方式を用いることができ、無線品質の状態などに応じて選択的に切り替えて使用することも可能である。
また、リソース情報は、周波数領域（本例では、リソースブロック）の割り当て内容を示す情報である。
【００３６】
一方、第１のスケジューラ１３は、通信相手となる端末装置に対するスケジューリングが初めてではない場合には、以前（例えば、前回）に割り当てた周波数領域をスケジューリングし、小容量ＲＴＤと変調方式とリソース情報を決定して、小容量ＲＴＤ、変調方式の情報、リソース情報を送信信号処理機能部２１に送信して設定する。
このように、本例では、小容量ＲＴＤのスケジューリングにおいて、なるべく一度決めた周波数領域を継続して使用する（割り当てる）ようにしている。この場合には、リソース情報の通知を省略することができる。
【００３７】
また、第１のスケジューラ１３は、小容量ＲＴＤについて、下りデータ分配部１１からのスケジューリングする対象となるデータがない場合であって、且つ、再送する対象となるデータがない場合には、スケジューリングを行わない。
第１のスケジューラ１３によりスケジューリングが必要な全ての小容量ＲＴＤについてのスケジューリングが完了すると、例えばその旨が第１のスケジューラ１３から第２のスケジューラ１４へ通知されて或いは上位の制御部（図示せず）などにより制御されて、第２のスケジューラ１４によるスケジューリングが開始される。
【００３８】
第２のスケジューラ１４は、大容量ＲＴＤ及びｎＲＴＤについて、大容量ＲＴＤをｎＲＴＤよりも優先してスケジューリングを行う。
第２のスケジューラ１４は、大容量ＲＴＤについては、ＨＡＲＱによりＮＡＣＫが通信相手となる端末装置から送信されて再送要求がある端末装置を優先的に、ＣＱＩが良好な周波数領域をスケジューリングし、大容量ＲＴＤと変調方式とリソース情報を決定して、大容量ＲＴＤ、変調方式の情報、リソース情報を送信信号処理機能部２１に送信して設定する。
【００３９】
また、第２のスケジューラ１４は、大容量ＲＴＤについて、再送データをスケジューリングした後には、下りデータ分配部１１からの大容量ＲＴＤについて、ＣＱＩが良好な端末装置を優先的にスケジューリングし、大容量ＲＴＤと変調方式とリソース情報を決定して、大容量ＲＴＤ、変調方式の情報、リソース情報を送信信号処理機能部２１に送信して設定する。
続いて、第２のスケジューラ１４は、大容量ＲＴＤについてのスケジューリングが完了すると、ｎＲＴＤについても、上記した大容量ＲＴＤの場合と同様な手順でスケジューリングを行う。
【００４０】
送信信号処理機能部２１は、ＭＡＣ部２の第１のスケジューラ１３や第２のスケジューラ１４から設定される変調方式の情報とリソース情報に基づいて、送信信号（送信パケットデータの信号）のベースバンド信号処理を行う。その後、この送信信号は、アンテナ（図示せず）により、通信相手となる端末装置に対して無線送信される。
なお、変調方式の情報（端末装置における復調方式を特定する情報）やリソース情報は、必要に応じて、通信相手となる端末装置に対して送信される。
【００４１】
端末装置（ユーザ）から無線基地局装置への上りリンクにおける無線パケット通信について説明する。
ここで、本例では、第１のスケジューラ１３や第２のスケジューラ１４により、上記した下りリンクのスケジューリングと同様な手順を用いて、上りリンクのスケジューリングが行われる。
【００４２】
通信相手となる端末装置から無線送信された信号（パケットデータの信号）がアンテナ（図示せず）により受信されて、受信信号処理機能部２２に入力される。
受信信号処理機能部２２は、ＭＡＣ部２の第１のスケジューラ１３や第２のスケジューラ１４から設定される復調方式の情報とリソース情報に基づいて、受信信号（受信パケットデータの信号）のベースバンド信号処理を行う。
そして、受信信号処理機能部２２は、例えば適応変調などを行うために用いられる周波数軸上の周波数領域毎の無線品質の情報（本例では、ＣＱＩの情報）と、通信相手から受信した当該通信相手への送信結果（本例では、ＨＡＲＱにおけるＡＣＫ又はＮＡＣＫ）の情報と、端末装置からの上りリンクのスケジューリング要求の情報を検出して、これらの情報を上りデータ分配部１２へ出力する。
【００４３】
上りデータ分配部１２は、受信信号処理機能部２２から入力されたＣＱＩの情報、ＡＣＫ／ＮＡＣＫの情報、上りリンクのスケジューリング要求の情報を、端末装置毎に分配して、第１のスケジューラ１３や第２のスケジューラ１４へ出力する。
また、上りデータ分配部１２は、受信信号処理機能部２２から上りリンクのスケジューリング要求の情報を受信した場合には、サービス毎にスケジューリング要求を分類し、本例では、小容量ＲＴＤ、大容量ＲＴＤ、ｎＲＴＤの３種類に分配する。なお、本例では、端末装置からのスケジューリング要求の情報には、要求するサービスの種類（データの種類）の情報が含まれている。
【００４４】
本例では、第１のスケジューラ１３及び第２のスケジューラ１４において、小容量ＲＴＤ、大容量ＲＴＤ、ｎＲＴＤの順に優先的にスケジューリングを行う。
具体的には、まず、第１のスケジューラ１３は、小容量ＲＴＤについて、端末装置からのスケジューリング要求があったためにスケジューリング対象となるデータ（端末装置から無線基地局装置へのデータ）がある場合、又は、ＨＡＲＱによりＮＡＣＫが受信信号処理機能部２２により判定されたために通信相手の端末装置から自装置（無線基地局装置）へ再送する対象となるデータがある場合に、スケジューリングを行う。なお、このＮＡＣＫ（上り通信）の情報は、例えば、受信信号処理機能部２２から上りデータ分配部１２を経由して第１のスケジューラ１３や第２のスケジューラ１４に入力される。
【００４５】
第１のスケジューラ１３は、通信相手となる端末装置に対して初めてスケジューリングを行う場合には、周波数軸上の周波数領域において、他の小容量ＲＴＤがスケジューリングされていなく且つ最高のＣＱＩとなる周波数領域（本例では、図５に示されるようなリソースブロック）をスケジューリングし、復調方式とリソース情報を決定して、復調方式の情報、リソース情報を受信信号処理機能部２２に送信して設定するとともに、スケジューリング許可情報を送信信号処理機能部２１に送信して設定する。
なお、端末装置から無線基地局装置への無線通信についてのＣＱＩ（上り通信）の情報は、例えば、受信信号処理機能部２２により検出されて、上りデータ分配部１２を経由して第２のスケジューラ１４に入力される。
また、スケジューリング許可情報は、スケジューリングの許可を通知する情報である。
【００４６】
一方、第１のスケジューラ１３は、通信相手となる端末装置に対するスケジューリングが初めてではない場合には、以前（例えば、前回）に割り当てた周波数領域をスケジューリングし、復調方式とリソース情報を決定して、復調方式の情報、リソース情報を受信信号処理機能部２２に送信して設定するとともに、スケジューリング許可情報を送信信号処理機能部２１に送信して設定する。
このように、本例では、小容量ＲＴＤのスケジューリングにおいて、なるべく一度決めた周波数領域を継続して使用する（割り当てる）ようにしている。この場合には、リソース情報の通知を省略することができる。
【００４７】
また、第１のスケジューラ１３は、小容量ＲＴＤについて、端末装置からのスケジューリング要求に係るスケジューリングする対象となるデータがない場合であって、且つ、再送対象となるデータ（端末装置から無線基地局装置へのデータ）がない場合には、スケジューリングを行わない。
第１のスケジューラ１３によりスケジューリングが必要な全ての小容量ＲＴＤについてのスケジューリングが完了すると、例えばその旨が第１のスケジューラ１３から第２のスケジューラ１４へ通知されて或いは上位の制御部（図示せず）などにより制御されて、第２のスケジューラ１４によるスケジューリングが開始される。
【００４８】
第２のスケジューラ１４は、大容量ＲＴＤ及びｎＲＴＤについて、大容量ＲＴＤをｎＲＴＤよりも優先してスケジューリングを行う。
第２のスケジューラ１４は、大容量ＲＴＤについては、ＨＡＲＱによりＮＡＣＫが受信信号処理機能部２２により判定されて再送要求（端末装置から無線基地局装置への再送要求）がある端末装置を優先的に、ＣＱＩが良好な周波数領域をスケジューリングし、復調方式とリソース情報を決定して、復調方式の情報、リソース情報を受信信号処理機能部２２に送信して設定するとともに、スケジューリング許可情報を送信信号処理機能部２１に送信して設定する。
【００４９】
また、第２のスケジューラ１４は、大容量ＲＴＤについて、再送データをスケジューリングした後には、端末装置からのスケジューリング要求に係る大容量ＲＴＤについて、ＣＱＩが良好な端末装置を優先的にスケジューリングし、復調方式とリソース情報を決定して、復調方式の情報、リソース情報を受信信号処理機能部２２に送信して設定するとともに、スケジューリング許可情報を送信信号処理機能部２１に送信して設定する。
続いて、第２のスケジューラ１４は、大容量ＲＴＤについてのスケジューリングが完了すると、ｎＲＴＤについても、上記した大容量ＲＴＤの場合と同様な手順でスケジューリングを行う。
【００５０】
送信信号処理機能部２１は、ＭＡＣ部２の第１のスケジューラ１３や第２のスケジューラ１４から設定されるスケジューリング許可情報を含む送信信号のベースバンド信号処理を行う。その後、この送信信号は、アンテナ（図示せず）により、通信相手となる端末装置に対して無線送信される。
なお、復調方式の情報（端末装置における変調方式を特定する情報）やリソース情報は、必要に応じて、通信相手となる端末装置に対して送信される。
【００５１】
図２を参照して、本例の無線基地局装置により行われる下りリンクのスケジューリングの処理の手順の一例を示す。
スケジューリングが開始されると（処理Ｔ１）、まず、第１のスケジューラ１３による小容量ＲＴＤのスケジューリング処理が開始される（処理Ｔ２）。
第１のスケジューラ１３は、小容量ＲＴＤについて、新規にスケジューリングするデータ、又は、再送データが有るか否かを判定し（処理Ｔ３）、これらのデータが無い場合には、以前に小容量ＲＴＤの通信に使用していた周波数領域（例えば、リソースブロック）については使用しないようにして空けておくようにする（処理Ｔ４）。これにより、小容量ＲＴＤの通信に使用される周波数領域が（各端末装置毎に、なるべく）固定されるようにする。
【００５２】
一方、第１のスケジューラ１３は、小容量ＲＴＤについて、新規にスケジューリングするデータ、又は、再送データがあった場合には、初めてのスケジューリングであるか否かを判定し（処理Ｔ５）、初めてのスケジューリングであった場合には、他の小容量ＲＴＤがスケジューリングされていなく且つＣＱＩが最高となる周波数領域を対象となる端末装置（ユーザ）に割り当てるようにスケジューリングを行う（処理Ｔ６）。また、初めてのスケジューリングではなかった場合には、第１のスケジューラ１３は、以前に使用した周波数領域を対象となる端末装置（ユーザ）に割り当てるようにスケジューリングを行う（処理Ｔ７）。
【００５３】
次に、第２のスケジューラ１４による大容量ＲＴＤのスケジューリング処理が開始される（処理Ｔ８）。
第２のスケジューラ１４は、大容量ＲＴＤについて、再送要求のある端末装置（ユーザ）に対して優先的にスケジューリングを行い（処理Ｔ９）、その後、無線品質（本例では、ＣＱＩ）が良好な端末装置（ユーザ）から優先的にスケジューリングを行う（処理Ｔ１０）。
【００５４】
次に、第２のスケジューラ１４によるｎＲＴＤのスケジューリング処理が開始される（処理Ｔ１１）。
第２のスケジューラ１４は、ｎＲＴＤについて、再送要求のある端末装置（ユーザ）に対して優先的にスケジューリングを行い（処理Ｔ１２）、その後、無線品質（本例では、ＣＱＩ）が良好な端末装置（ユーザ）から優先的にスケジューリングを行う（処理Ｔ１３）。
以上の処理により、全てのスケジューリング処理が終了する（処理Ｔ１４）。
【００５５】
図３を参照して、本例の無線基地局装置により行われる上りリンクのスケジューリングの処理の手順の一例を示す。
スケジューリングが開始されると（処理Ｔ２１）、まず、第１のスケジューラ１３による小容量ＲＴＤのスケジューリング処理が開始される（処理Ｔ２２）。
第１のスケジューラ１３は、小容量ＲＴＤについて、新規にスケジューリング要求に基づいてスケジューリングするデータ、又は、再送データが有るか否かを判定し（処理Ｔ２３）、これらのデータが無い場合には、スケジューリング許可通知を行わない（処理Ｔ２４）。
【００５６】
なお、この場合に、例えば、以前に小容量ＲＴＤの通信に使用していた周波数領域（例えば、リソースブロック）については使用しないようにして空けておくようにしてもよく、これにより、小容量ＲＴＤの通信に使用される周波数領域が（各端末装置毎に、なるべく）固定されるようにすることができる。
【００５７】
一方、第１のスケジューラ１３は、小容量ＲＴＤについて、新規にスケジューリング要求に基づいてスケジューリングするデータ、又は、再送データがあった場合には、初めてのスケジューリングであるか否かを判定し（処理Ｔ２５）、初めてのスケジューリングであった場合には、他の小容量ＲＴＤがスケジューリングされていなく且つＣＱＩが最高となる周波数領域を対象となる端末装置（ユーザ）に割り当てるようにスケジューリングを行ってスケジューリング許可通知を送信する（処理Ｔ２６）。また、初めてのスケジューリングではなかった場合には、第１のスケジューラ１３は、以前に使用した周波数領域を対象となる端末装置（ユーザ）に割り当てるようにスケジューリングを行ってスケジューリング許可通知を送信する（処理Ｔ２７）。
【００５８】
次に、第２のスケジューラ１４による大容量ＲＴＤのスケジューリング処理が開始される（処理Ｔ２８）。
第２のスケジューラ１４は、大容量ＲＴＤについて、再送要求のある端末装置（ユーザ）に対して優先的にスケジューリングを行ってスケジューリング許可通知を送信し（処理Ｔ２９）、その後、無線品質（本例では、ＣＱＩ）が良好な端末装置（ユーザ）から優先的にスケジューリングを行ってスケジューリング許可通知を送信する（処理Ｔ３０）。
【００５９】
次に、第２のスケジューラ１４によるｎＲＴＤのスケジューリング処理が開始される（処理Ｔ３１）。
第２のスケジューラ１４は、ｎＲＴＤについて、再送要求のある端末装置（ユーザ）に対して優先的にスケジューリングを行ってスケジューリング許可通知を送信し（処理Ｔ３２）、その後、無線品質（本例では、ＣＱＩ）が良好な端末装置（ユーザ）から優先的にスケジューリングを行ってスケジューリング許可通知を送信する（処理Ｔ３３）。
以上の処理により、全てのスケジューリング処理が終了する（処理Ｔ３４）。
【００６０】
図４には、下りリンクや上りリンクについて行われる本例のスケジューリングにおける各データ項目の優先順位を示してある。
図４に示されるように、本例では、小容量ＲＴＤ、再送要求に係る大容量ＲＴＤ、（再送要求ではない）大容量ＲＴＤ、再送要求に係るｎＲＴＤ、（再送要求ではない）ｎＲＴＤ、という順に、優先させて、スケジューリングを行う。
また、本例では、下りリンクと上りリンクの両方について、無線基地局装置によりスケジューリングが行われる。この場合、スケジューリングを行うために必要な情報が端末装置から無線基地局装置へ通知され、また、スケジューリングの結果の情報が無線基地局装置から端末装置へ通知される。
【００６１】
なお、本例では、再送要求に係る小容量ＲＴＤと（再送要求ではない）小容量ＲＴＤについては、特に優先順位は決められてなく、例えば、いずれかを常に優先させるような態様が設定されて用いられてもよく、或いは、いずれかを優先させるのではなくスケジューリングの要求が発生した時間の早い順に優先させる態様が設定されて用いられてもよく、或いは、他の種々な態様が用いられてもよい。
【００６２】
以上のように、本例の無線基地局装置では、小容量ＲＴＤや大容量ＲＴＤやｎＲＴＤをスケジューリングする場合に、ＲＴＤをｎＲＴＤよりも優先させてスケジューリングを行い、小容量ＲＴＤを大容量ＲＴＤよりも優先させてスケジューリングを行う。また、小容量ＲＴＤをスケジューリングする際には、可能であれば、以前に使用していた周波数領域（例えば、リソースブロック）をスケジューリングすることにより、ＲＴＤのリアルタイム性を維持しながら、帯域の使用効率を向上させる。また、大容量ＲＴＤとｎＲＴＤを転送（送信）する場合には、無線品質が良好な端末装置（ユーザ）を優先させてスケジューリングすることにより、リアルタイム性があり、且つ、スループットを向上させたスケジューリングを実現する。
【００６３】
このように、本例の無線基地局装置では、例えば、無線パケット通信を行う際のパケットデータをスケジューリングするような場合に、小容量ＲＴＤ、大容量ＲＴＤ、ｎＲＴＤの順に優先させてスケジューリングを行うことや、サービス（データの種類）毎にスケジューリング方式を変更することを行う。
従って、本例の無線基地局装置では、例えば、リアルタイム性が必要なデータを優先的にスケジューリングすることでそのアルタイム性を保障することや、小容量のデータを最優先にスケジューリングすることで多くのユーザがサービスの提供を受けられるようにすることや、ＣＱＩに基づくスケジューリングを行うことで全帯域のスループットや無線品質を向上させることなどができ、総じて、リアルタイム性があり、且つ、スループットが良好なスケジューリングを行うことができる。
【００６４】
なお、本例の無線基地局装置（通信装置の一例）では、下りデータ分配部１１或いは上りデータ分配部１２が通信対象となるデータ（上りデータ分配部１２の場合には、具体的には、通信が要求されたデータ）を小容量ＲＴＤと大容量ＲＴＤとｎＲＴＤに分類する機能によりデータ分類手段が構成されており、第１のスケジューラ（小容量ＲＴＤＳ）１３や第２のスケジューラ（大容量ＲＴＤ・ｎＲＴＤＳ）１４が小容量ＲＴＤと大容量ＲＴＤとｎＲＴＤに関して予め設定された条件に従って通信相手との間の通信（本例では、下り通信や上り通信）について使用する通信リソース領域（本例では、例えば、リソースブロック）を割り当てる機能によりスケジューリング手段が構成されており、送信信号処理機能部２１がスケジューリング結果に従って送信処理を行う機能或いは受信信号処理機能部２２がスケジューリング結果に従って受信処理を行う機能により通信手段が構成されている。
【００６５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６６】
【図１】本発明の一実施例に係る無線基地局装置の構成例を示す図である。
【図２】下りリンクのスケジューリングの処理の手順の一例を示す図である。
【図３】上りリンクのスケジューリングの処理の手順の一例を示す図である。
【図４】データ項目毎の優先順位の一例を示す図である。
【図５】ＯＦＤＭ方式における下りリンクのリソースグリッドの一例を示す図である。
【符号の説明】
【００６７】
１・・ＲＬＣ部、  ２・・ＭＡＣ部、  ３・・ＢＢ部（ベースバンド信号処理部）、  １１・・下りデータ分配部、  １２・・上りデータ分配部、  １３・・第１のスケジューラ（小容量ＲＴＤＳ）、  １４・・第２のスケジューラ（大容量ＲＴＤ・ｎＲＴＤＳ）、  ２１・・送信信号処理機能部、  ２２・・受信信号処理機能部、
【図１】
0005068125.tif 000002
【図２】
0005068125.tif 000003
【図３】
0005068125.tif 000004
【図４】
0005068125.tif 000005
【図５】
0005068125.tif 000006